(57)【要約】企業等の広告主の宣伝の無駄を省いて、一般消費者であるユーザがより早く、正確に効率良く、ポスター等の広告媒体の宣伝主の情報を選択的に把握することができる情報収集システム及びその決済方法を提供する。  ポスター等の情報媒体の一部に表示された記号、数字等の符号に従ってネットワークを介してサーバーＳ１，Ｓ２にアクセスし、ユーザの欲する情報のみを画像や文字の情報として携帯電話機などの情報端末にダウンロードし、表示することにより充分な情報を得ることができるようにする。広告媒体は何に関係するかだけをアピールすれば良く、詳細はサーバーＳ１，Ｓ２とネットワークを通じて情報端末から情報を得ることができるようにする。
2004023439.tif 000002
【特許請求の範囲】
【請求項１】
情報表示を行う情報媒体と、その表示内容に関する情報を蓄えるサーバーを有し、前記情報媒体の表示の一部に前記サーバーにアクセスするための符号を表示させることで、所望の情報端末に前記符号に対応した情報を前記サーバーから選択入力可能に構成した情報収集システム。
【請求項２】
上記情報端末に入力されたサーバーからの情報を、該情報端末の表示部あるいはこれに付帯接続されたモジュールの表示部に表示するようにした請求項第１項記載の情報収集システム。
【請求項３】
上記情報端末は携帯用の電話機である請求項第１項または第２項記載の情報収集システム。
【請求項４】
上記情報端末は携帯可能なコンピュータ機器である請求項第１項または第２項記載の情報収集システム。
【請求項５】
上記情報媒体は、広告媒体である請求項第１項ないし第４項何れか記載の情報収集システム。
【請求項６】
上記情報媒体の発行者が報知したい情報を逐次サーバーに書き込んで記録し、該情報媒体の広告表示期間の終了期限に連動して前記発行者の情報を逐次消去するようにした請求項第５項記載の情報収集システム。
【請求項７】
上記サーバーにアクセスするアドレスを記録したモジュールを予め情報端末に接続することで情報媒体の中の符号を入力し、該モジュールの発信操作により前記サーバーにアクセス可能にした請求項第１項ないし第６項何れか記載の情報収集システム。
【請求項８】
上記サーバーを一括管理する管理手段を有し、該管理手段は、前記サーバーの中の情報の記録領域を複数に分割して、情報媒体の発行者もしくは依頼者に賃貸するようにした請求項第１項ないし第７項何れか記載の情報収集システム。
【請求項９】
上記サーバーを運用する運用手段を有し、該運用手段は、情報媒体の発行者の依頼を受けて、該依頼者の情報を前記サーバーに入力するようにした請求項第１項ないし第８項何れか記載の情報収集システム。
【請求項１０】
上記情報端末に付帯接続されたモジュールは、情報の送受信が可能なモジュールである請求項第２項記載の情報収集システム。
【請求項１１】
上記情報媒体に表示される符号は所定のコードであり、該コードの入力によりサーバーにアクセス可能にした請求項第１項ないし第１０項何れか記載の情報収集システム。
【請求項１２】
上記の情報収集システムにおいて、サーバーから得られた情報に基づく所定の決済を情報端末あるいはこれに付帯接続されたモジュールを通して自動的に行うようにした情報収集システムの決済方法。
【発明の詳細な説明】
【技術分野】  本発明は、ポスター、看板、新聞、雑誌、ウィンドウ等の情報媒体を利用した情報収集システム、特に、必要とする情報を一括して簡単に入手することが可能な情報収集システム及びその情報取得に対する安全な決済方法に関するものである。
【背景技術】  従来、インターネットを利用して情報を検索する場合、いわゆるホームページの各項目に従って検索、閲覧を行うか、あるいはそれぞれの興味や関心のあるコンテンツが収納されたサーバーにアクセスするのが普通である。
ホームページの検索、閲覧を行う場合は、多数の情報が得られるが、それとともに多数の不要な情報も表示されてしまい、その中から自分の欲する情報を検索しなければならない。コンテンツにアクセスする場合も同様で、このコンテンツの中に自分の欲しい情報や内容があるかどうかの保障はない。人々が欲している情報が豊富に収容されているコンテンツは評価されるし、アクセスされる回数も多くなる。
人々の関心が高いと思われる配信情報は、内容や件数が多くなると、多過ぎて見ている時間がない。一方、ポスター等の広告媒体により宣伝したい内容は、商品であったり、案内であったり、企業であったり、組織であったり、多種多様であるが、それ故に画像で人の目を引き付け、瞬間的にイメージで宣伝を行うものが多い。文字が書かれているものもあるが、ポスターの前を歩いている人達は中身まで読むことは不可能である。
街にはポスターが溢れているが、関心のあるポスターが目に入っても、その内容を確認することは時間の制約や字の大きさ等の制約があり、折角多数のポスターが貼ってあっても、実際にはその効果が的確に伝えられることが少ない。即ち、これらの広告媒体は大量に印刷されている割合には、エネルルギー効率が悪いのが一般的である。
然るに、もし、ポスターが人目に付き、かつその内容が何らかの方法で正確に伝えることができれば、ポスター等の広告媒体の宣伝効果や効率を格段に上昇させることができる。
ところで、得たい情報がどこにあるのか分からないときがあるが、例えば紙面や映像、またポスター、チラシ等の広告を通じて商品、企業、組織、イベントの内容、また音響、映像の内容等を正確にかつ詳細に短時間で説明することは矛盾を持っている。即ち、特定の商品を宣伝しようとすると、他との違いなど正確に報じなければならない。
しかし、一般の紙面や映像、ポスターやチラシ等の広告媒体の大きさの制限や字の大きさや数量の関係で瞬間的に人に印象を与えて覚えて貰うことは不可能に近い。
例えば、ポスターの前を通過したとき、見た人が興味を持てば、そのポスターの効果が得られたと考えるべきである。このとき、そのポスターから得られた興味の対象を別の手段で手軽に選び出し、その詳細な内容が得られれば、電車の中や、オフィス、家に帰ってからでもゆっくり情報を読んだり精査することができる。
一方、インターネットのホームページは、企業の多様な情報が入っているのでこの中から必要な情報を選び出すことも手数がかかり、面倒である。また、種々のコンテンツの中から必要な情報を選び出すことも手数や時間がかかる。
本発明は、上記のような問題点に鑑みてなされたもので、ポスター等の情報媒体の情報をその情報媒体の一部に表示された記号、数字等の符号に従ってネットを介してサーバーにアクセスし、端末にダウンロードすることにより、欲する情報のみが端末に得られ、画像や文字の情報となって端末の表示から充分な情報を得ることができ、情報媒体は何に関係するかだけをアピールすれば良く、詳細はサーバーとネットを通じて端末から情報を得ることができる情報収集システム及びその決済方法を提供することを目的としている。
【発明の開示】
本発明は、情報表示を行う情報媒体と、その表示内容に関する情報を蓄えるサーバーを有し、前記情報媒体の表示の一部に前記サーバーにアクセスするための符号を表示させることで、所望の情報端末に前記符号に対応した情報を前記サーバーから選択入力可能に構成した情報収集システムに係り、更に、情報端末に入力されたサーバーからの情報を、該情報端末の表示部あるいはこれに付帯接続されたモジュールの表示部に表示するようにしたものである。符号を入力する方法としてはキーボード、バーコードリーダ、磁気コード、ＩＣコードリーダ等による方法がある。
また、情報端末は携帯用の電話機あるいは携帯可能なコンピュータ機器であるようにし、情報媒体は広告媒体であるようにしたものである。
更に本発明は、情報媒体の発行者が報知したい情報を逐次サーバーに書き込んで記録し、該情報媒体の広告表示期間の終了期限に連動して前記発行者の情報を逐次消去するようにしたものであり、また、サーバーにアクセスするアドレスを記録したモジュールを予め情報端末に接続することで情報媒体の中の符号を入力し、該モジュールの発信操作により前記サーバーにアクセス可能にしたものである。
また、サーバーを一括管理する管理手段を有し、該管理手段は、前記サーバーの中の情報の記録領域を複数に分割して、情報媒体の発行者もしくは依頼者に賃貸しするようにし、更に、サーバーを運用する運用手段を有し、該運用手段は、情報媒体の発行者の依頼を受けて、該依頼者の情報を前記サーバーに入力するようにしたものである。
また、情報端末に付帯接続されたモジュールは、情報の送受信が可能なモジュールであるようにし、情報媒体に表示される符号は所定のコードであり、該コードの入力によりサーバーにアクセス可能にしたものである。コードの入力方法には、キーボードによる方法が一般的であるが、バーコードリーダが備わっていればバーコードによってもよいし、同様に磁気コードによったり、ＩＣコードによっても自動的に端末で入力を行うことができる。
また本発明は、上記の情報収集システムにおいて、サーバーから得られた情報に基づく所定の決済を情報端末あるいはこれに付帯接続されたモジュールを通して自動的に行うようにした決済方法である。
【図面の簡単な説明】  図１は、本発明の実施例の広告媒体の具体的な様態を示す図、図２は、実施例のシステムの情報端末の例を示す図、図３は、実施例のアダプタモジュールを示す図、図４は、実施例のシステム構成を示す図、図５は、実施例のシステムのサーバーの帰属例を示す図、図６は、実施例のシステムの他のサーバーの帰属例を示す図、図７は、本発明に係るビジネスモデルを示す図、図８は、本発明に係る他のビジネスモデルを示す図である。
【発明を実施するための最良の形態】  以下、本発明の実施例を図面に従って説明する。
本発明は、ポスター、看板、新聞、雑誌、ウィンドウ、表示パネル、表示画面等の情報媒体を利用した情報収集システム及びその決済方法に係るものである。これらの媒体に対して、例えば有線、無線の放送や広告の画像を通した絵や文字の視覚による広告がある。ポスターや看板は、絵や文字を一枚の紙に印刷して人目の付く所に展示するが、忙しい人達はその内容まで読み取ることはできない。このポスター等の内容、更に例えばチケットや支払いに関する事項は別の場所に掲示されている。しかるに、これらの情報が一括して簡単に得られれば有益なことであり、本発明はこのようなシステムを提供するものである。
すなわち、本発明は、世の中に溢れている多くの情報の中で自分の欲しい情報のみを簡単に選択して、簡単に手元の携帯端末等に入手でき、かつそれによる購入の手段を安全に決済するシステムを提供することにある。
例えば、紙面や映像による媒体、ポスター、看板、新聞、雑誌、本、ウィンドウ、チラシ等を通して、視覚や音声によって入手される情報があるが、これらの多くの情報と忙しい人達とをつなぐ方法として、それぞれの欲する目的の情報を選択的に与えることである。
この方法は、いかにして本人が欲する情報を的確に与え、その中から選択してもらうか、その詳細な情報を多くの情報の中からより分けて本人に素早く与えるかであって、現代の携帯端末とネットワークとサーバーの技術を使わないわけにはいかないものである。
【実施例１】  図１は本発明の実施例の情報媒体である広告媒体の具体的な様態を示す図であり、（ａ）はポスターや立看板の場合、（ｂ）は新聞や雑誌の場合、（ｃ）はテレビ画面の場合をそれぞれ示している。
図１の（ａ）のポスターや立看板による新しい情報や広告の場合、例えばポスターの貼られている間、例えば１週間〜１ヶ月程度の広告期間中に広告を見る人に具体的な情報やイメージを与えなければならない。駅等の人だかりの多い所では広告、宣伝の効果は大きいが、殆どの場合は広告の前を通りながら見ることが多い。従って、短時間に必要な情報を与えなければならない。
一般的に、短時間に理解できる情報は、どんな情報か、何に関することか程度の情報で、詳細は立ち止まって見たり、詳しい文字を読まなければ理解できない。また、このようにポスターや立看板等の前を通り過ぎる人達に細かい字で書くと返って読んで貰えず、広告、宣伝の意味がなくなってしまう。
このような弊害をなくすために、ポスターや立看板の一部（一般には上か下）にサーバーにアクセスするための記号や数字などの符号を記して、これを携帯端末に入力することにより、欲する情報が収容されているサーバーにアクセスすることができ、必要な情報を得ることができる。
即ち、ポスターや立看板は何に関する情報かを瞬間的に訴えれば良いだけである。このような使い方をすれば、広告用のポスターや立看板も忙しい人にとって有効な情報入手手段となるし、広告、宣伝主にも有効な広告、宣伝を打てたことになる。
一般のホームページを利用する場合もあるが、前述のようにホームページは不要な情報も多く、本人の欲しない情報の中から欲する情報を選んだりする手間がかかったり、情報が多すぎたり、端末で見るためには不適切であったりする。
また、ホームページを持たない広告、宣伝主や、ポスターや看板等の内容を分かり易く、画像や文字で表現できない広告、宣伝主は、このようなホームページの手段は通用しない。
図１の（ｂ）の新聞や雑誌等に広告、宣伝を行う場合は、（ａ）のポスターや立看板の条件の場合より時間をかけて読むことができるので、比較的持ち歩いたり、保存することができ、必要な情報のみを切り取ったり、持ち帰ったりするには何とかなるが、かさばったり、なくしたりする傾向がある。しかし、本実施例ではこれらの資料を持ち歩く代わりに、紙面等から得られる符号に基づき端末よりサーバーにアクセスし、アップトォデイトな情報をサーバーより端末に入力（ロード）することができるので、資料は捨ててしまっても良い。
図１の（ｃ）は特別の場合で、ＴＶ等でコマーシャルの時間が充分に取れない場合は、広告、宣伝はすぐに終わってしまうので、同じようにサーバーにアクセスするための符号を広告と一緒に放送することにより、情報端末やＰＣ（パーソナルコンピュータ）からサーバーより情報を引き出すことができる。例えば、携帯や端末に入力する方法としては、キーボード、バーコードリーダ、磁気コード、ＩＣコードリーダ等がある。
これにより、広告主も短時間のコマーシャルで済むし、詳細な情報をサーバーに入力しておけば、ユーザーはサーバーより詳細な情報を得ることができ、両者が利益を得ることができる。
図２は本実施例のネットシステムにおける情報端末の例を示す図である。同図の（ｆ）を除き、他の（ａ）〜（ｅ）及び（ｇ）はモバイル端末である。
図２の（ａ）は携帯電話端末の例を示し、インターネットにアクセスできる端末である。（ｂ）は後述の図３に示すネットシステム用のアダプタモジュールを携帯端末の下側のシリアル端子に接続した例を示し、（ｃ）はそのシリアル端子が横側にある携帯端末の例を示している。また、（ｄ）はＰＤＡの例、（ｅ）はモバイルＰＣの例、（ｆ）はデスクトップＰＣの例、（ｇ）は決済用の通常のＩＣカードアダプターを備えたモジュールを携帯端末に接続した例をそれぞれ示している。
これらの情報端末を用いることにより、広告媒体から得られる記号、番号等の符号を該端末に入力して、システムのサーバーにアクセスを行うことで、広告媒体に連動する当該情報を容易に入力することができる。
その際、同図の（ａ）の場合は、上述のように端末の操作のみで行うので、一般のサーバーにアクセスするときのように多少時間がかかる。現在はアダプター方式のみしか存在しないが、将来、バーコードリーダ等の機能が直接携帯端末に導入されれば、符号の入力をバーコード、磁気コード、ＩＣコードにする方法もある。（ｂ）の場合は、図３に示すようなネットシステム用のアダプタモジュールに当該サーバーにアクセスするＴＣＰ／ＩＰ、ＰＰＰ、ＨＴＴＰ等のインターフェースが記録されているので、このアダプタモジュールを取付けて発信を行うと、自動的に当該サーバーにアクセスするので、携帯電話のキーを操作する必要がない。即ち、当該サーバーの何番目のアドレスに希望する情報が入っているかの選択を行えば良いだけであるので、操作としては極めて簡単で、時間をとらない。（ｃ）の場合についても同じである。前述のように入力の方法としては、キーボード、バーコード、磁気コード、ＩＣコード等による方法がある。
また、（ｇ）の場合は、ＩＣカードを用いて更に決済まで行う例であるが、図３に示すように携帯電話のＩＤと電話料金決済に用いるＳＩＭのみでなく、ＵＩＭ、ＷＩＭ等のようなアプリケーションを備えたＩＣモジュールにより銀行の自動引き落としやプリペイドカード、デビット等に用いるＩＣカードモジュール１２を収納させておくことにより、広告媒体で宣伝されているチケット等を購入することができる。銀行口座と連動させなくても、一旦決済を請け負ってその後銀行より決済を受けるシステムとすることもできる。
図３は上述のサーバーに自動的にアクセスするためのアダプタモジュールを示す図であり、同図の（ａ）、（ｂ）は正面図、（ｃ）はその側面図を示している。
図３の（ａ）は通常のタイプであり、１はモジュール本体で、コネクタ２を介して携帯電話等に接続される。また、リチウムイオン電池、ニッケル水素電池、燃料電池等のバッテリー１１によって電源の供給を受けている。
３は広告媒体の整理番号に相当する番号を入力するためのテンキーで、インターネット対応のＴＣＰ／ＩＰ、ＰＰＰ、ＨＴＴＰ等のインターフェース機能を持たない一般のＰＨＳや携帯電話に対応する電話機を用いた場合の情報のダウンロードと表示を行う操作を受け持つものである。
モジュールに接続されるＰＨＳ等は、図示していないが、ＰＨＳカードやＬＡＮカードのようなものであっても良い。
４は電力をオン（ＯＮ）、オフ（ＯＦＦ）するための電源キー、５は発信を行う発信キーで、キーを間違って押した場合はリセットキー６あるいはこの電源キー４を押す。８は数字や記号等の表示を行うＬＣＤ表示部、９はファンクションキー、１３は機能モジュールである。
図３の（ｂ）は更に暗証番号等を入力する場合で、暗証番号を誤って入力した場合にリセットするリセットキー７を追加したものである。その他、エンター、シフト、カーソル等はファンクションキー９、１０で行う。
上記構成のアダプタモジュールにおいて、ＳＩＭ、ＵＩＭ等と同じ形状をしたＩＣカードモジュール１２はモジュール本体１の中に蓋を開けることによって収納することができる。このＩＣカードモジュール１２を使用する際、本人照合を行うため暗証番号をキーインし、本人照合が行われた後、このＩＣカードモジュール１２に書き込まれたデータにアクセスすることが可能となり、データが携帯電話を介して外部に伝送される。
また、モジュール本体１には、システムのサーバーにアクセスするためのアドレスやキーなどが書き込まれている機能モジュール１３が組み込まれている。そして、この機能モジュール１３には通信モジュールも含まれており、インターネットプロトコルＴＣＰ／ＩＰ、ＡＴＴ、ＰＰＰ、ＨＴＴＰ等のインターフェースが組み込まれている場合には、普通の携帯電話やＰＨＳでもインターネットにアクセスすることができる。
図４は本実施例のシステム構成を示す図である。一般公衆電話回線（あるいは専用線）Ｐｕやインターネット回線Ｉを介して情報が保存されているサーバーＳ１やＳ２にアクセスができ、このサーバーＳ１、Ｓ２より必要な情報を端末に取り込むシステムを示している。図中、Ｒはルータを示している。
上記のシステムにおいて、広告媒体に対応する詳細な情報が格納されているサーバーＳ１には、インターネット対応の携帯電話により従来の手法に従ってアドレスを入力することにより、該サーバーＳ１より情報を引き出すことができる。このとき、入力する長いアドレスを符号で圧縮するソフトを利用し、簡単に取り込めるようにすることができる。また、サーバーのアドレスは、英字、日本字、数字等の符号で対応することもできる。
また、本発明の一つである自動アクセスするための上述のアダプタモジュールを用いることにより、サーバーＳ１に自動的にアクセスを行い、サーバーＳ１の情報を携帯端末に取り込むことができる。携帯端末がインターネット対応のない機種では、インターネットによる情報をモジュールに取り込み、モジュールに表示する機能を持たせているので、表示も大きくし、操作キー等を持たなければならない。
この場合は、モジュール自体が専用の情報端末であり、ディスプレイも大きくしなければならないし、本体形状も大きくなり、単にサーバーＳ１にアクセスするためだけの目的ではなくなる。
イベントやチケットの購入等を決済する場合には、サーバーＳ２を介して行えるようにしておき、サーバーＳ１とＳ２が関連してある約束や条件のもとに決済を行うようにしておくこともできる。また、別々に決済を行う場合は、サーバーＳ２にアクセスし、モジュールの中のＩＣカードに書き込まれた条件に基づいて支払いや決済を行うことができる。
サーバーＳ１とＳ２が情報の交信を行い、自動的に決済を行う方法も可能で、サーバーＳ１を介してサーバーＳ２にアクセスし、予め取り決められた条件に従って決済が行われるようにすることもできる。
図５は本システムのサーバーの帰属例を示す図である。企業や顧客Ａ、Ｂ、Ｃ、Ｄ、Ｅ、……がサーバーＳ１、Ｓ２を管理する情報会社ｅ−Ｉに、広告媒体に関連し、端末で詳しく見て貰うための情報をｅ−ｍａｉｌ（電子メール）、Ｆ／Ｄ（フレキシブルディスク）、あるいはＦＡＸ（ファクシミリ）等で送る。これらの情報は基本的に広告をする顧客が一番良く知っているので、顧客自身が加工する方が良いが、顧客が内容を情報会社ｅ−Ｉにサーバーで見やすい情報に加工して貰うように依頼することもできる情報会社や情報会社ｅ−Ｉは、例えばサーバーＳ１のメモリエリアをそれぞれの情報の内容に従って割り当てる情報を貼り付ける。サーバーＳ１は自社の所有でも良いし、ネットとサーバーの所有者より使用権を得て、レンタルしているものでも良い。
図６は本システムのサーバーの他の帰属例を示す図である。情報会社ｅ−Ｉがサーバーを所有し、企業や顧客Ａ、Ｂ、Ｃ、Ｄ、Ｅ、……に対応してサーバーに依頼主の情報を載せるようにしても良い。
図７は本発明に係るビジネスモデルの一例を示す図である。企業や顧客Ａは、広告を作るために広告代理店Ｒ１にポスターＰ１、立看板Ｐ２、新聞広告Ｎ１、雑誌Ｍ１等の広告作成依頼を行う。広告代理店Ｒ１は、その広告の製作を更に外注を行ったり、内製を行ったり、印刷を印刷会社Ｐｒに発注し、印刷を行う。
また、上記の広告媒体（Ｐ１、Ｐ２、Ｎ１、Ｍ１）等と関連するもっと詳しい情報をネットの情報会社ｅ−Ｉに提供し、インターネットのサーバーに載せて貰う契約や行為を行う。
他の企業や顧客Ｂ、Ｃ、Ｄ……に対しても同様であるが、情報会社ｅ−Ｉと依頼会社である企業や顧客Ａ、Ｂ、……等とは、情報量、期間等により代価が定められる。
一方、情報を得たい携帯端末の保持者は、直接サーバーにアクセスし、サーバーより情報を得ることができる。そのときの通信費は、携帯端末の所有者に課（加）金されるが、サーバーの使用料は広告依頼者が負担することになる。勿論、従来のように使用料を閲覧者が支払う方法としても良い。
上記のモデルは純粋に広告媒体の情報のみサーバーより端末に取り込む方法であるが、その際情報の末尾等に他の広告や情報を送り、コマーシャルとすることもできる。このような方式を用いると、情報会社ｅ−Ｉの収入は増すことになるが、余分な情報が多くなると、携帯端末の保持者であるユーザーから嫌われることになる。
サーバーに載せる情報は多種多様であり、広告媒体に関連した消費者が欲する情報であるが、例えば音響、映像等であっても良い。アミューズメントの場合、案内等は別のコンテンツがあるが、特に広告企画を行う企業等が、即応性を狙ってポスター、新聞、雑誌、チラシ等を使って広告をし、これらのコンテンツにアクセスすることにより、売上の増大を図ることができる。これらのコンテンツは情報会社ｅ−Ｉのサーバーに入っていることが望ましいが、他のサーバーＳ１１、Ｓ１２に入っている場合でも良く、それにアクセスを行って所望のコンテンツを得ることができる。
【実施例２】  図８は図７のビジネスモデルの中に更に決済システムを導入した場合を示す図である。広告に係る情報を格納したサーバーＳ１と更に決済を司るサーバーＳ２が導入され、チケット、商品の購入や予約、音響、映像の配信等の支払いも行えるようにしている。
決済を行うためにはセキュリティのかかったＩＣカードやモジュールが必要であり、図３の（ｃ）に示すようなＳＩＭやＵＩＭ、ＷＩＭ構造のＩＣチップがモジュールの中に装着されることによって、プリペイド方式やデビッド方式等種々の方式により支払いが可能となる。ＰＣ等でクレジットカードＮｏ．を送る場合より、ＩＣカードのモジュールを用いるので、より安全である。その際、ＩＣカードのチップによっても良いし、本体モジュールで行っても良いが、データ伝送時に暗号化を行ったり、スクランブルをかけ、通信の安全を確保することが望ましい。
また、顧客が欲するものを選び、この商品の決済を行った後、商品を手に入れる方法は、図のように決済が行われると情報会社ｅ−Ｉあるいは広告主の企業が自動的に認識し、企業あるいは情報会社ｅ−Ｉの物流センターから顧客Ｃ１の指定する最寄りのショップＳｈ１、Ｓｈ２、Ｓｈ３やコンビニエンスストアに送り、即日あるいは翌日手に入れるシステムとすることもでき、あるいは宅急便等で自宅に送るようなシステムとすることもできる。
それらのシステムの構成やコード化は、予め取り決めておき、モジュールのメニューで選択することができる。また、自宅に送る場合には顧客のＩＣモジュールの登録や、本体モジュールの登録より、住所、名前が連動され、送料等も条件次第で決済することができる。
これらの方法をとることで、広告で知り得た情報により、携帯端末を通してより早く、安全に商品を得ることができる。若し、商品が好みのものと違っていた場合でも、本人確認が行われているので、通信販売等と違い、返却交換等円滑に行われ、トラブルが避けられる。
以上、本発明の実施例について説明したが、本発明では、ポスター等の広告媒体の内容をその広告媒体の一部に表示された記号、数字等の符号に従ってネットを介してサーバーにアクセスし、端末にダウンロードすることにより、欲する情報のみが端末に得られ、画像や文字の情報となって端末の表示から充分な情報を得ることができ、広告媒体は何に関係するかだけをアピールすれば良く、詳細はサーバーとネットを通じて端末から情報を得ることができる広告媒体のネットシステムを実現することができる。
従って、従来の広告媒体の役割を明確化し、一般消費者であるユーザーがより早く、正確に効率良く、宣伝主の内容を把握することができ、企業等の広告主の無駄を省き、選択的に消費者やユーザーに早く正確に伝達することができる。また、ネット社会、ＩＴ社会に最も適した情報の提供方法や広告宣伝方法であるので、無駄なエネルギーを少しでも少なくすることができるとともに、即応性のある広告が打てる点でも本システムの果たす役割は社会に大いにするところ大である。
以上説明したように、本発明によれば、ポスター等の情報媒体の内容をその媒体の一部に表示された記号、数字等の符号に従ってネットを介してサーバーにアクセスし、端末にダウンロードすることにより、欲する情報のみが端末に得られ、画像や文字の情報となって端末の表示から充分な情報を得ることができ、情報媒体は何に関係するかだけをアピールすれば良く、詳細はサーバーとネットを通じて端末により情報を得ることができる。
従って、従来の情報媒体の役割を明確化し、一般消費者であるユーザーがより早く、正確に効率良く、宣伝主の内容を把握することができ、企業等の広告主の無駄を省き、選択的に消費者やユーザーに早く正確に伝達することができる。また、ネット社会、ＩＴ社会に最も適した広告宣伝方法であるので、無駄なエネルギーを少しでも少なくすることができるとともに、即応性のある広告が打てる点でも本システムの果たす役割は社会に大いにするところ大である。
【産業上の利用可能性】  以上のように成るので、本発明に係る情報収集システム及びその決着方法は、ポスター、看板、新聞、雑誌、ウィンドウ等の情報媒体を利用して、必要とする情報を一括して簡単に入手することが可能になり、またその情報取得に安全な決済を行うことができ、広く利用することができる。
【図１】
2004023439.tif 000003
【図２】
2004023439.tif 000004
【図３】
2004023439.tif 000005
【図４】
2004023439.tif 000006
【図５】
2004023439.tif 000007
【図６】
2004023439.tif 000008
【図７】
2004023439.tif 000009
【図８】
2004023439.tif 000010
【手続補正書】
【提出日】平成15年12月24日(2003.12.24)
【手続補正００１】
【補正対象書類名】特許請求の範囲
【補正対象項目名】特許請求の範囲
【補正方法】変更
【補正の内容】
【特許請求の範囲】
【請求項１】
（補正後）情報表示を行う情報媒体と、その表示内容に関する情報を蓄える独立のサーバーを有し、前記情報媒体の表示の一部に前記サーバーにアクセスするための符号を表示させることで、所望の情報端末に前記符号に対応した情報を前記サーバーから選択入力可能に構成した情報収集システム。
【請求項２】
（補正後）上記情報端末に入力されたサーバーからの情報を、該情報端末に付帯接続されたモジュールの表示部に表示するようにした請求項第１項記載の情報収集システム。
【請求項３】
上記情報端末は携帯用の電話機である請求項第１項または第２項記載の情報収集システム。
【請求項４】
上記情報端末は携帯可能なコンピュータ機器である請求項第１項または第２項記載の情報収集システム。
【請求項５】
上記情報媒体は、広告媒体である請求項第１項ないし第４項何れか記載の情報収集システム。
【請求項６】
上記情報媒体の発行者が報知したい情報を逐次サーバーに書き込んで記録し、該情報媒体の広告表示期間の終了期限に連動して前記発行者の情報を逐次消去するようにした請求項第５項記載の情報収集システム。
【請求項７】
上記サーバーにアクセスするアドレスを記録したモジュールを予め情報端末に接続することで情報媒体の中の符号を入力し、該モジュールの発信操作により前記サーバーにアクセス可能にした請求項第１項ないし第６項何れか記載の情報収集システム。
【請求項８】
上記サーバーを一括管理する管理手段を有し、該管理手段は、前記サーバーの中の情報の記録領域を複数に分割して、情報媒体の発行者もしくは依頼者に賃貸するようにした請求項第１項ないし第７項何れか記載の情報収集システム。
【請求項９】
上記サーバーを運用する運用手段を有し、該運用手段は、情報媒体の発行者の依頼を受けて、該依頼者の情報を前記サーバーに入力するようにした請求項第１項ないし第８項何れか記載の情報収集システム。
【請求項１０】
上記情報端末に付帯接続されたモジュールは、情報の送受信が可能なモジュールである請求項第２項記載の情報収集システム。
【請求項１１】
上記情報媒体に表示される符号は所定のコードであり、該コードの入力によりサーバーにアクセス可能にした請求項第１項ないし第１０項何れか記載の情報収集システム。
【請求項１２】
上記の情報収集システムにおいて、サーバーから得られた情報に基づく所定の決済を情報端末あるいはこれに付帯接続されたモジュールを通して自動的に行うようにした情報収集システムの決済方法。
【手続補正書】
【提出日】平成16年9月6日(2004.9.6)
【手続補正００１】
【補正対象書類名】特許請求の範囲
【補正対象項目名】全文
【補正方法】変更
【補正の内容】
【特許請求の範囲】
【請求項１】
情報提供者（メーカー販売業者、イベント提供者などのコンテンツ提供者）と、この情報提供者よりのコンテンツを有料で提供するサーバーを有する広告業者とより成り、前記情報提供者や広告業者のチラシ，カタログ，ポスター，新聞などの広告媒体には、広告以外に当該広告の詳細な情報を得るための記号，文字などのコードが表示され、この各コード毎に、情報提供者よりの各コンテンツ毎の前記詳細な情報がサーバー内に記録され、さらにこのコードに対応する情報を、携帯電話などの電子端末機器に備える前記サーバーと通信可能なモジュールを介して、一般顧客は、サーバーにアクセスして、求める広告の詳細な情報を直接入手可能とすると共に、前記モジュールは、前記電子端末機器内に内蔵又は着脱自在とすることを特徴とする情報収集システム。
【請求項２】
モジュールは、サーバーにアクセスするためのアドレスやキー、さらには通信モジュールなどを含んで構成されていることを特徴とする請求項第１項記載の情報収集システム。
【請求項３】
削    除
【請求項４】
削    除
【請求項５】
削    除
【請求項６】
上記広告媒体の発行者が報知したい情報を逐次サーバーに書き込んで記録し、該広告媒体の広告表示期間の終了期限に連動して前記発行者の情報を逐次消去するようにした請求項第１項記載の情報収集システム。
【請求項７】
上記サーバーにアクセスするアドレスを記録したモジュールを予め情報端末に接続することで広告媒体の中の符号を入力し、該モジュールの発信操作により前記サーバーにアクセス可能にした請求項第１項ないし第６項何れか記載の情報収集システム。
【請求項８】
上記サーバーを一括管理する管理手段を有し、該管理手段は、前記サーバーの中の情報の記録領域を複数に分割して、広告媒体の発行者もしくは依頼者に賃貸するようにした請求項第１項ないし第７項何れか記載の情報収集システム。
【請求項９】
上記サーバーを運用する運用手段を有し、該運用手段は、広告媒体の発行者の依頼を受けて、該依頼者の情報を前記サーバーに入力するようにした請求項第１項ないし第８項何れか記載の情報収集システム。
【請求項１０】
上記電子端末機器に付帯接続されたモジュールは、情報の送受信が可能なモジュールである請求項第２項記載の情報収集システム。
【請求項１１】
モジュールは、ＩＣカードを収納できるように形成したことを特徴とする請求項第１項記載の情報収集システム。
【請求項１２】
上記の請求項第１項ないし第１１項いずれかの情報収集システムにおいて、顧客はセキュリティおよび識別機能を備えた決済手段により、特定の広告の対価を電子決済によりサーバーを介して情報提供者へ支払い、当該広告に係る商品を入手できることを特徴とする情報収集システムの決済方法。
【請求項１３】
請求項第１項において、商品を入手する手段として、コンビニエンスストアー，宅配便などによることも可能とすることを特徴とする情報収集システム。
【手続補正００２】
【補正対象書類名】明細書
【補正対象項目名】０００８
【補正方法】変更
【補正の内容】
【０００８】
プＰＣの例、（ｇ）は決済用の通常のＩＣカードアダプターを備えたモジュールを携帯端末に接続した例をそれぞれ示している。
これらの情報端末を用いることにより、広告媒体から得られる記号、番号等の符号を該端末に入力して、システムのサーバーにアクセスを行うことで、広告媒体に連動する当該情報を容易に入力することができる。
その際、同図の（ａ）の場合は、上述のように端末の操作のみで行うので、一般のサーバーにアクセスするときのように多少時間がかかる。現在はアダプター方式のみしか存在しないが、将来、バーコードリーダ等の機能が直接携帯端末に導入されれば、符号の入力をバーコード、磁気コード、ＩＣコードにする方法もある。（ｂ）の場合は、図３に示すようなネットシステム用のアダプタモジュールに当該サーバーにアクセスするためのプロトコルやＴＣＰ／ＩＰ、ＰＰＰ、必要とあればＨＴＴＰ等のインターフェースが記録されているので、このアダプタモジュールを取付けて発信を行うと、自動的に当該サーバーや別のサーバーにアクセスできるので、携帯電話のキーを操作する必要がない。即ち、当該サーバーの何番目のアドレスに希望する情報が入っているかの選択を行えば良いだけであるので、操作としては極めて簡単で、時間をとらない。（ｃ）の場合についても同じである。前述のように入力の方法としては、キーボード、バーコード、磁気コード、ＩＣコード等による方法がある。
また、（ｇ）の場合は、ＩＣカードを用いて更に決済まで行う例であるが、図３に示すように携帯電話のＩＤと電話料金決済に用いるＳＩＭのみでなく、ＵＩＭ、ＷＩＭ等のようなアプリケーションを備えたＩＣモジュールにより銀行の自動引き落としやプリペイドカード、デビット等に用いるＩＣカードモジュール１２を収納させておくことにより、広告媒体で宣伝されているチケット等を購入することができる。銀行口座と連動させなくても、一旦決済を請け負ってその後銀行より決済を受ける


【手続補正００３】
【補正対象書類名】明細書
【補正対象項目名】０００９
【補正方法】変更
【補正の内容】
【０００９】
システムとすることもできる。
図３は上述のサーバーに自動的にアクセスするためのアダプタモジュールを示す図であり、同図の（ａ）、（ｂ）は正面図、（ｃ）はその側面図を示している。
図３の（ａ）は通常のタイプであり、１はモジュール本体で、コネクタ２を介して携帯電話等に接続される。また、リチウムイオン電池、ニッケル水素電池、燃料電池等のバッテリー１１によって電源の供給を受けている。
３は広告媒体の整理番号に相当する番号を入力するためのテンキーで、インターネット対応のＴＣＰ／ＩＰ、ＰＰＰ等のインターフェース機能を持たない一般のＰＨＳや携帯電話に対応する電話機を用いた場合の情報のダウンロードと表示を行う操作を受け持つものである。
モジュールに接続されるＰＨＳ等は、図示していないが、ＰＨＳカードやＬＡＮカードのようなものであっても良い。
４は電力をオン（ＯＮ）、オフ（ＯＦＦ）するための電源キー、５は発信を行う発信キーで、キーを間違って押した場合はリセットキー６あるいはこの電源キー４を押す。８は数字や記号等の表示を行うＬＣＤ表示部、９はファンクションキー、１３は機能モジュールである。
図３の（ｂ）は更に暗証番号等を入力する場合で、暗証番号を誤って入力した場合にリセットするリセットキー７を追加したものである。その他、エンター、シフト、カーソル等はファンクションキー９、１０で行う。
上記構成のアダプタモジュールにおいて、ＳＩＭ、ＵＩＭ等と同じ形状をしたＩＣカードモジュール１２はモジュール本体１の中に蓋を開けることによって収納することができる。このＩＣカードモジュール１２を使用する際、本人照合を行うため暗証番号をキーインし、本人照合が


【手続補正００４】
【補正対象書類名】明細書
【補正対象項目名】００１０
【補正方法】変更
【補正の内容】
【００１０】
行われた後、このＩＣカードモジュール１２に書き込まれたデータにアクセスすることが可能となり、データが携帯電話を介して外部に伝送される。
また、モジュール本体１には、システムのサーバーにアクセスするためのアドレスやキーなどが書き込まれている機能モジュール１３が組み込まれている。そして、この機能モジュール１３には通信モジュールも含まれており、インターネットプロトコルＴＣＰ／ＩＰ、ＡＴＴ、ＰＰＰ、ＨＴＴＰ等のインターフェースが組み込まれている場合には、普通の携帯電話やＰＨＳでもインターネットにアクセスすることができる。
図４は本実施例のシステム構成を示す図である。一般公衆電話回線（あるいは専用線）Ｐｕやインターネット回線Ｉを介して情報が保存されているサーバーＳ１やＳ２にアクセスができ、このサーバーＳ１、Ｓ２より必要な情報を端末に取り込むシステムを示している。図中、Ｒはルータを示している。
上記のシステムにおいて、広告媒体に対応する詳細な情報が格納されているサーバーＳ１には、インターネット対応の携帯電話により従来の手法に従ってアドレスを入力することにより、該サーバーＳ１より情報を引き出すことができる。このとき、入力する長いアドレスを符号で圧縮するソフトを利用し、簡単に取り込めるようにすることができる。また、サーバーのアドレスは、英字、日本字、数字等の符号で対応することもできる。
また、本発明の一つである自動アクセスするための上述のアダプタモジュールを用いることにより、サーバーＳ１に自動的にアクセスを行い、サーバーＳ１の情報を携帯端末に取り込むことができる。携帯端末がインターネット対応のない機種では、インターネットによる情報をモジュールに取り込み、モジュールに表示する機能を持たせているので、


【手続補正００５】
【補正対象書類名】明細書
【補正対象項目名】００１１
【補正方法】変更
【補正の内容】
【００１１】
表示も大きくし、操作キー等を持たなければならない。
この場合は、モジュール自体が専用の情報端末であり、ディスプレイも大きくしなければならないし、本体形状も大きくなり、単にサーバーＳ１にアクセスするためだけの目的ではなくなる。
イベントやチケットの購入等を決済する場合には、サーバーＳ２を介して行えるようにしておき、サーバーＳ１とＳ２が関連してある約束や条件のもとに決済を行うようにしておくこともできる。また、別々に決済を行う場合は、サーバーＳ２にアクセスし、モジュールの中のＩＣカードに書き込まれた条件に基づいて支払いや決済を行うことができる。
サーバーＳ１とＳ２が直接あるいは間接に情報の交信を行い、自動的に決済を行う方法も可能で、サーバーＳ１を介してサーバーＳ２にアクセスし、予め取り決められた条件に従って決済が行われるようにすることもできる。
図５は本システムのサーバーの帰属例を示す図である。企業や顧客Ａ、Ｂ、Ｃ、Ｄ、Ｅ、……がサーバーＳ１、Ｓ２を管理する情報会社ｅ−Ｉに、広告媒体に関連し、端末で詳しく見て貰うための情報をｅ−ｍａｉｌ（電子メール）、Ｆ／Ｄ（フレキシブルディスク）、あるいはＦＡＸ（ファクシミリ）等で送る。これらの情報は基本的に広告を依頼する顧客が一番良く知っているので、顧客自身が加工する方が良いが、顧客が内容を情報会社ｅ−Ｉにサーバーで見やすい情報に加工して貰うように依頼することもできる情報会社や情報会社ｅ−Ｉは、例えばサーバーＳ１のメモリエリアをそれぞれの情報の内容に従って割り当てる情報を貼り付ける。サーバーＳ１は自社の所有でも良いし、ネットとサーバーの所有者より使用権を得て、レンタルしているものでも良い。
図６は本システムのサーバーの他の帰属例を示す図である。情報会社ｅ−Ｉがサーバーを所有し、企業や顧客Ａ、Ｂ、Ｃ、Ｄ、Ｅ、……に対


【手続補正００６】
【補正対象書類名】明細書
【補正対象項目名】００１２
【補正方法】変更
【補正の内容】
【００１２】
図７は本発明に係るビジネスモデルの一例を示す図である。企業や顧客Ａは、広告を作るために広告代理店Ｒ１にポスターＰ１、立看板Ｐ２、新聞広告Ｎ１、雑誌Ｍ１等の広告作成依頼を行う。広告代理店Ｒ１は、その広告の製作を更に外注を行ったり、内製を行ったり、印刷を印刷会社Ｐｒに発注し、印刷を行う。
また、上記の広告媒体（Ｐ１、Ｐ２、Ｎ１、Ｍ１）等と関連するもっと詳しい情報をネットの情報会社ｅ−Ｉに提供し、インターネットのサーバーに載せて貰う契約や行為を行う。
他の企業や顧客Ｂ、Ｃ、Ｄ……に対しても同様であるが、情報会社ｅ−Ｉと依頼会社である企業や顧客Ａ、Ｂ、……等とは、情報量、期間等により代価が定められる。
一方、情報を得たい携帯端末の保持者は、直接サーバーにアクセスし、サーバーより情報を得ることができる。そのときの通信費は、携帯端末の所有者に課（加）金されるが、サーバーの使用料は広告依頼者が負担することになる。勿論、従来のように使用料を閲覧者が支払う方法としても良い。
上記のモデルは純粋に広告媒体の情報のみサーバーより端末に取り込む方法であるが、その際情報の末尾等に他の広告や情報を送り、コマーシャルとすることもできる。このような方式を用いると、情報会社ｅ−Ｉの収入は増すことになるが、余分な情報が多くなると、携帯端末の保持者であるユーザーから嫌われることになる。
サーバーに載せる情報は多種多様であり、広告媒体に関連した消費者が欲する情報であるが、例えば音響、映像等であっても良い。アミューズメントの場合、案内等は別のコンテンツがあるが、特に広告企画を行う企業等が、即応性を狙ってポスター、新聞、雑誌、チラシ等を使って広告をし、これらのコンテンツにアクセスすることにより、売上の増大




【国際調査報告】
2004023439.tif 000011
2004023439.tif 000012
2004023439.tif 000013
2004023439.tif 000014
2004023439.tif 000015
2004023439.tif 000016